(57)【要約】      （修正有）【課題】連棟ハウスの屋根から注がれた陽射しの殆ど全てを日陰部として損出させることなく、連棟ハウス内の農作物に有効に照射させるとともに、栽培植物にとって最も貴重な照射時間を長くし、且つ、各棟の農作物の受光量の均一化を図ることにより、ハウス内の農作物の品質の向上と均一化、発病の防止等を図り、収穫量が高く、経済性に優れた農業用連棟温室ハウスを提供する。【解決手段】各棟の屋根裏部屋Ｙと栽培室Ｓとを開閉する保温カーテン８で仕切ると共に各棟Ｍの屋根の谷間に雨樋６を備えた農業用連棟温室ハウスにおいて、各棟の屋根裏部屋Ｙの所定の位置で、屋根から受けた太陽光を栽培室Ｓに向かって反射させる反射機９を、屋根と保温カーテン８との間で奥行き方向に配置した。【選択図】図２
0003201855.tif 000002
【実用新案登録請求の範囲】
【請求項１】
連棟する各棟毎に各棟の屋根裏部屋と栽培室とを開閉する保温カーテンで仕切ると共に、隣り合う棟の屋根と屋根とが連結される谷間部に雨樋と該雨樋の下部に前記保温カーテンの寄せ部を備えた農業用連棟温室ハウスにおいて、
前記各棟の屋根裏部屋の所定の位置で屋根の棟方向に配置されていて、屋根から受けた太陽光を前記栽培室に向かって反射させる反射機を備え、かつ、当該反射機の反射シートの表面がアルミ蒸着により形成されていることを特徴とする農業用連棟温室ハウス。
【請求項２】
前記反射機の所定の位置は、間口の間を水平方向に移動可能とする移動点であること、かつ、当該移動の手段は、反射機レールの両端、又はその近傍を支点とし、ワイヤー又は紐を配置することにより、当該ワイヤー又は紐の一端を張力により作動させることを特徴とする請求項１記載の農業用連棟温室ハウス。
【請求項３】
前記農業用連棟温室ハウスの棟が南北方向に設置されたものにあっては、前記反射機は両面が反射する反射機であって、午前中は前記棟の西側に配置され、午後は移動させて前記棟の東側に配置されることを特徴とする請求項１または請求項２のいずれかに記載の農業用連棟温室ハウス。
【請求項４】
前記農業用連棟温室ハウスの棟が東西方向に設置されたものにあっては、前記反射機は片面が反射する反射機であって、終日前記棟の北側に配置されることを特徴とする請求項１または請求項２のいずれかに記載の農業用連棟温室ハウス。
【請求項５】
前記反射機は角度と丈の長さが可変可能であることを特徴とする請求項１ないし４のいずれかに記載の農業用連棟温室ハウス。
【考案の詳細な説明】
【技術分野】
【０００１】
本考案は、農業用連棟温室ハウスに関する、詳しくは、営業用農作物であるトマト・キュウリ・イチゴなどの栽培に使われる連棟式の温室ハウスに入射する太陽光を有効に活用する技術に関する。
【背景技術】
【０００２】
農業用に営利栽培されているトマト・キュウリ・イチゴなどの促成・越冬栽培に使用される冬季農業用温室栽培ハウスでは、ハウス全体で受けた太陽光を直接ハウス内の栽培作物に当てる光と、ハウス内に設けた反射資材で受けて内部に屈折させて栽培作物に当てる光とで、ハウス内の栽培作物に陽射しを隈なく当てて、高品質で、高収穫量を得る工夫がなされている。
【０００３】
例えば、棟の向きを東西方向にした単棟の屋根型温室ハウスであって、南面側の屋根を広くして受光量を増やし、北面側の屋根兼壁には反射板を設けて、南面側の屋根から入射した光を内部に反射させて栽培作物に当てるものがある（例えば、特許文献１参照）。
また、棟の向きを東西方向にした単棟の屋根型温室ハウスであって、北壁側近くに反射板を設けて、この反射板を季節によって南側に移動したり、必要に応じて反射板の丈の長さ変えたりして内部の栽培植物に有効に照射するものがある（例えば、特許文献２参照）。
【０００４】
然しながら、これらの発明にあっては小規模のものにおいては経済性を含めて有効であるが、５００平方メートル級以上のものに適用する場合には、反射板に係わる設備費は僅かであるが、栽培環境（温度、湿度、受光条件）を整える建屋を含む初期設備投資と、保温の燃料費等の管理維持費が嵩み経営を圧迫している。
【０００５】
一方、各棟の間口（４〜５ｍ）、高さ（３〜４ｍ）として、ハウス内の容積を最小化することによって建屋、暖房機等の初期設備投資、保温の燃料費等の管理維持費など採算ベースに適合する温室ハウスとして、農業用連棟温室ハウス（３棟以上、５００平方メートル級以上）がある。
この農業用連棟温室ハウスは、単棟の屋根型温室ハウスと比べて同一床面積であっても、内容積が減っている分（約５割程度）受光量も減っていることに加えて、連棟式の構造から生じる前記単棟の屋根型温室ハウスには無かった問題点（後述）があり農作物の品質、収穫量、病害の発生等の改善が望まれている。
特に、この改善事項は受光条件が非常に厳しい、太陽の仰角が小さい冬至前後の約２ヶ月間（１１月下旬から2月初旬）に顕著である。
【０００６】
即ち、越冬栽培や促成栽培など暖房機を使用して栽培を行う場合、保温カーテンは（一層、二層、三層などあり材質も様々である）冬季の暖房費節約のため必要不可欠の物であり、各棟ごとに設けられた保温カーテンは夜に閉め昼間に開けられる。この開けられた保温カーテンの寄せ部と、各棟の繋ぎ目に設けられた雨樋と、隣の屋根とが農業用連棟温室ハウス内に日陰を作る、所謂、無効の入射光となる。
特に栽培作物のトマト・キュウリ・イチゴ等にとって、太陽光が弱く、照射仰角が少ない季節には、この日陰部によって、太陽光の３０〜４０％が失われている。この日陰部は、着色不良・着果不良・高湿度による病気の多発など多くの発育障害の原因になる。
【０００７】
上記受光条件の悪化要因を整理すれば、各棟の間口幅、高さを押さえたことに起因する下記の欠点であり、特に冬場の太陽の仰角が小さい時期に顕著である。
１、各棟間に設けられる雨樋の増加により生じる日陰部の増加。
２、内部の天井側に設ける保温カーテンを開けたときに生じる、保温カーテン寄せ部による日陰部の増加。
３、多棟にしたことにより生じる、前棟の屋根による日陰部の増加。
４、各棟の間口を狭め（４〜５メートル）たことにより生じる、屋根有効受光面積の減少。
５、暖房機運転中に保温カーテンが閉めてられていることによって生じる、早夕の屋根からの有効な照射時間の減少。
【先行技術文献】
【特許文献】
【０００８】
【特許文献１】特開昭６３−１１９６２９号公報
【特許文献２】特開平0７−２０３７７７号公報
【考案の概要】
【考案が解決しようとする課題】
【０００９】
本考案は以上のような従来の欠点に鑑みてなされたもので、連棟ハウスの屋根から注がれた陽射しの殆ど全てを日陰部として損出させることなく、連棟ハウス内の栽培作物に有効に照射させるとともに、栽培作物にとって最も貴重な照射時間を長くし、且つ、各棟の栽培作物の受光量の均一化を図ることにより、ハウス内の栽培作物の品質の向上と均一化、及び、発病の防止等を図り、収穫量が高く、経済性に優れた農業用連棟温室ハウスを提供することを目的としている。
【課題を解決するための手段】
【００１０】
上記目的を達成するために本考案は、連棟する各棟ごとに各棟の屋根裏部屋と栽培室とを開閉する保温カーテンで仕切ると共に、隣り合う棟の屋根と屋根とが連結される谷間部に雨樋と該雨樋の下部に前記保温カーテンの寄せ部を備えた農業用連棟温室ハウスにおいて、前記各棟の屋根裏部屋の所定の位置で屋根の棟方向に配置されていて、屋根から受けた太陽光を前記栽培室に向かって反射させる反射機を備えた構成要件で、農業用連棟温室ハウスを構成し、かつ、当該反射機の反射シートの表面がアルミ蒸着により形成されていること。
【００１１】
また、反射機の所定の位置は、間口の間を水平方向に移動可能とする移動点であって、かつ、当該移動の手段は、反射機レールの両端又は、その近傍のアーチ屋根骨格を支点として、ワイヤー又は紐を掛け、その一端を引くことにより作動すること。
【００１２】
また、棟が南北方向に設置されたものにあっては、反射機は両面が反射する反射機であって、午前中は前記棟の西側に配置され、午後は移動させて前記棟の東側に配置されていてもよい。
【００１３】
また、棟が東西方向に設置されたものにあっては、反射機は片面が反射する反射機であって、終日前記棟の北側に配置されていてもよい。
【００１４】
また、反射機は角度と丈の長さが可変可能であってもよい。
【００１５】
尚、所定の位置とは、設置される緯度と経度とによって変化するが、基本となる位置は極寒期で、南中時の太陽の仰角が屋根Ｎに接する接点である。
【考案の効果】
【００１６】
以上の説明から明らかなように、本考案にあっては反射機の無い農業用連棟温室ハウスと比較した場合にあっては、次に列挙する効果が得られる。
（１）朝の保温カーテンが閉められている時間帯に屋根裏部屋に差し込んだ陽射しは、反射機によって屋根裏部屋を急速に暖めるので朝の保温カーテンを開く時間が早まり、同様にして夕方の保温カーテンを閉める時間が遅くなるので、一日の照射時間が長くなる。
（２）保温カーテンが開いている時間帯において、反射機は本来日陰となる損出入射光の大部分を反射光として再生して栽培室に戻すので、栽培室の有効入射光量が増大する。
（３）屋根からの直接の入射光と反射機で反射された光とが、栽培室の棟方向に列状に植えられた栽培作物に対して、棟単位で、両側から当たるので、栽培作物にとってキメ細やかな日陰部の無い陽当たりとなり、且つ、各棟全体としての受光量の均一化が測られる。
（４）以上のことによって、ハウス内の栽培作物の品質の向上と均一化、及び、発病の防止等を図り、収穫量が高く、経済性に優れた農業用連棟温室ハウスを提供できる。
また、反射機を備えた単棟の農業用温室ハウスと比較した場合にあっては、上記効果に加えて、以下の効果が得られる。
（５）初期設備費が大幅に削減されると共に暖房費用が大幅に削減されるので、採算の改善が大幅に図られることとなる。
【図面の簡単な説明】
【００１７】
【図１】本考案を実施するための実施の形態の全体斜視図。
【図２】同上実施の形態の間口側から見た透視図。
【図３】同上実施の形態における反射機の活用説明図。
【図４】同上実施例１（南北棟）における1月中旬の受光説明図。        （Ａ）朝（８:３０）の平面図        （Ｂ）南中時の平面図        （Ｃ）夕（１５:３０）の平面図        （Ｄ）朝（８:３０）正面図（間口が正面）          （Ｅ）朝（８:３０）側面図
【図５】同上実施例１おける太陽光受光の説明図（１月中旬、朝８:３０）。
【図６】同上実施例２（東西棟）における1月中旬の受光説明図。（Ａ）朝、昼（南中時）、夕の平面図        （Ｂ）朝（８:３０）正面図（側壁が正面）        （Ｃ）夕（１５:３０）の側面図
【図７】反射シートの移動手段を示す図
【考案を実施するための形態】
【００１８】
以下、図面に示す考案を実施するための実施の形態を、図に基づいて詳細に説明する。説明にあたって、実施例に共通の事項を先ず説明し、続いて、その活用の形態を実施例１、２として説明する。
【実施例】
【００１９】
図１乃至図３に基づいて本考案を実施するための実施例１、２に共通な事項である農業用連棟温室ハウスの構造と、年間を通しての栽培植物の育成過程と、その時々における太陽光の受光状況と、暖房機、反射機、保温カーテン等の管理状況を説明する。
【００２０】
図において、１は６連棟式アーチ屋根型温室ハウス（以後ハウスという）であり、各棟の間口（Ｍ）の幅が４メートル（間口幅の合計２４ｍ）、奥行となる側壁（Ｏ）の長さ３６ｍ、高さ（Ｈ）が３．３ｍ、アーチ状の屋根（Ｎ）の屋根高（ｈ）が１．４ｍの平面長方形（８６４平方メートル）の１〜６棟からなる立体構造物である。
間口Ｍが奥行き方向に南北方向を向いているものを南北棟ハウス（実施例１）と呼び、東西方向を向いているものを東西棟ハウス（実施例２）と呼ぶ。
【００２１】
このハウス１の内部には、基礎工事された土台（図示せず）の上に間口幅の４ｍ間隔で碁盤目状に立設された支柱２と、この支柱２間を升目状に連結する横梁３とからなる鋼鉄製の屈強なハウス１の核となる構造物がる。屋根Ｎと雨樋６と側壁Ｏとは、この屈強な構造物を核として取り付けられている。
屋根Ｎは、アーチ状の屋根骨格４の外周に複数年張りの透光性の外張りポリフィルム（図示せず）が張られたものである。屋根骨格４はパイプ材をアーチ状に加工したアーチ部材４０を棟の奥行き方向に５０ｃｍ間隔で配置し、このアーチ部材４０を串刺し状に奥行き方向に連結して補強する屋根補強部材４１（鋼材製の直管パイプ）とからなる。
側壁Ｏは、弓形に加工されたパイプ状の鋼材からなる側壁骨格５の外周にポリフィルム（図示せず）が張られたものである。
【００２２】
更に、ハウス１の内部には、以下に示す内装装置が取り付けられている。７は第１、第２のカーテンレールであり間口Ｍの幅方向の各支柱２間に、上下に２０ｃｍ離して張られている。
８はカーテンレール７上に配置された２重の保温カーテンであり、各棟を単位として間口Ｍの幅で、奥行３６ｍの全長に渡っている。この保温カーテン８は、間口Ｍの幅の中央で２分割されていて夫々のカーテンレール７上を滑りながら開閉される。開かれた夫々の保温カーテン８の残り幅（ｍ）は約３５ｃｍである。この保温カーテン８を境界として上方が屋根裏部屋Ｙ、下方が栽培室Ｓである。
【００２３】
保温カーテン８の開閉操作（条件）は、栽培室Ｓの温度が栽培植物にとり下限となる所定の温度（Ｐ℃）以下にならないように、暖房機（図示しない）の運転と連動させて行うものであって、以下の２条件の場合には保温カーテン８を閉じる操作を行い、この条件を満たさない場合には保温カーテン８を開く操作を行う。
条件１：ハウス１に入射する陽射しが無くて、栽培室Ｓの温度が所定の温度（Ｐ℃）以下になる場合には、常に保温カーテン８を閉じて暖房機を運転して栽培室Ｓの温度を所定の温度（Ｐ℃）以上に維持する（日没から夜明け前の間、曇りの日が該当する）。
条件２：ハウス１に入射する陽射しが有っても、屋根裏部屋Ｙの温度が所定の温度（Ｐ℃）以下の場合には、保温カーテン８を閉じて栽培室Ｓの温度が所定の温度（Ｐ℃）以上になるように暖房運転を行う（極寒期の早朝および夕方が該当）。
この操作は、ハウス１の規模に応じて、手動または自動の操作手段で行われる（図示しない）。
【００２４】
９は屋根裏部屋Ｙに配置された反射機で、各棟の奥行き方向に配置された反射軸９１に反射シート９２を吊り下げたものでる。当該反射シート９２は、薄い樹脂の表面にアルミ蒸着によりアルミ箔が形成されているものである。この反射軸９１は屋根補強部材４１を利用して水平に固定された反射機レール９３上を移動可能に取り付けられている。この取り付け位置は、入射角３０°の入射光とハウス１の屋根Ｎとの接点（Ｋ）を起点とし、入射角１５０°の入射光とハウス１の屋根Ｎとの接点を終点となるように取り付けられる。この反射機９は反射板９２の下端がカーテンレール８１に届く丈の垂れ下がり長さを有し、奥行き全長に渡る広さを備えた反射シート９２を備える、と共に、必要に応じて反射機軸９１を中心にしてハウス１内部に向かって反射角度を変えられる反射角可変機能と、丈の長さを調整する丈長調整機能と、反射機レール上を移動する位置移動機能とを備えている。前記の位置移動機能は、図７に示すように、反射機レール９３の両端、又はその近傍のアーチ屋根骨格４１を支点として、ワイヤー又は紐10を配置し、その一端を引くときの張力を利用して反射シート９２を移動させるものである。尚、反射角度の可変機構、丈長の調整機構は、図示しないが、規模に応じて、既知の手段で手動操作、または、自動操作等選択すればよい。
【００２５】
次に年間を通したハウス１の使い方を説明する（図３参照）
―定植時期から育生期（８〜９月）―
夏の高温期には、透光性の外張りポリフィルムで覆われたハウス１の中は換気扇(図示しない)を使っても、日中５０度近くに達し、高温障害との戦いとなる。その最中の８月中旬頃にトマトの定植がされる。この時期には、不織布の日除カーテン（図示しない）を使って日中の日除けを行うが、朝夕には反射機９を使って太陽光線を充分当てることにより成長が早いので（高温障害を受けないように注意しながら）なるべく朝夕の長い時間日除カーテンを開き、反射機９を使って、栽培作物に光を無駄なく照射させる（従って、反射機９を巻き上げ式にしておくと使い勝手がよい）。
【００２６】
―収穫前期（９〜１１月）―
９月下旬〜１０月頃は日照時間も長く、外気温も低下し、不織布の日除カーテンを開いていても日焼けや高温障害の心配も無くなる時期なので、反射機9を早朝から日暮れまでの終日使って、太陽光線を充分に取り込みたい時期である。
尚、１０月中旬より栽培室Ｓの温度が所定温度（Ｐ℃）を下まわりはじめるので、保温カーテン８の開閉と暖房機の使用とが必要となる。
【００２７】
―収穫難関期（１１〜翌年２月）―
１１月下旬頃より１月下旬頃まで最も栽培の難しい時期となる。反射機９の機能をフルに活用して、入射光を作物に無駄なく、長い時間、照射させたい。保温カーテン８を開いている時間を出来るだけ長くするために、午前中の光だけでなく午後の光も少しでも取り込むため、天候に注意し、反射の機能（反射角可変機能と、丈長調整機能と、反射機レー位置移動機能）をフルに活用する期間である。このようにすることによって、冬季ハウス内で最も環境の悪い場所（西の雨樋・カーテン下）を減らし、病気の減少と収量の増加を図る。
【００２８】
―収穫後期（３〜６月）―
気温の上昇とともに日照時間も伸びはじめるので暖房機が不要となり、日が昇る時から日暮れまで保温カーテン８を開き反射機９が有効に活用される。しかし、４月下旬頃からは高温傷害の危険性がではじめるので、徐々に反射機９の活用は朝夕とし、日中の活用は控える時期となる（巻き上げ式の反射機が有効に活用される時期となる）。
【００２９】
―休耕期間（７〜８月）―
この時期約１ケ月の間は、連作対策等の養生期間とし、ハウス１内に水を張って休耕する。
【００３０】
尚、上記するように、ハウス１の管理は年間を通じて高温と低温障害対策、陽当たりの均一化、日照時間の確保、陽当たりと保温カーテンの開閉時間の関係等の緻密な管理を必要とすることから、その事業規模によっては、屋根裏部屋Ｙと栽培室Ｓ内の適所に照度計と温度計等を配置して、これらの計測器と連動させて、保温カーテン８の開閉と、暖房機・送風機の運転と、反射機９の位置と角度と丈の長さ等を、栽培植物の成長過程から収穫期に至る過程の最適化制御を図ることができる。
【実施例１】
【００３１】
図１〜５に基づいて本考案を実施するための実施例１を詳細に説明する。
設置位置等の諸元は以下の通りである。
・  ハウス１の設置位置：北緯３６度３１分、東経１３９度、南北棟式。
・  栽培作物：トマト。
・  栽培期間等：詳細は、図３参照。
・  イ、ハウス栽培期間：８月中旬の定植から翌年６月中旬の約１０ヶ月間。
・  ロ、休耕期間：７、８月の間の約１ヶ月間は連作対策等の養生期間として休耕。
・ ハ、反射機の活用期間：反射機は休耕期間及び高温障害の恐れがある時間帯を除き有効に活用する。特に、反射機を最も有効に活用する期間は、１１月下旬から２月下旬までの３ヶ月間である。      
【００３２】
この実施例１は、前記実施の形態の間口Ｍが南北方向に配置された、所謂、南北棟方式のハウス１の形態であり、東側に位置する１棟から順次２棟・・・６棟で構成されている。
陽射しが最も弱い栽培難関期の１月中旬において、保温カーテン８を開く頃の陽射しは（間口Ｍの面に対して）入射角α＝２０°、仰角β＝２０°で南東方向から入射し、お昼前後の南中時には入射角α＝９０°、仰角β＝３０°で入射し、保温カーテン８を閉める頃には入射角α＝１６０°、仰角β＝２０°で入射している。
【００３３】
以下、陽射しが最も弱い難関期の１月中旬の状態を例として説明する。
太陽が昇るとともに、ハウス１に屋根Ｎからの入射光（Ｕ）と側壁Ｏからの入射光（Ｖ）と間口からの入射光（Ｗ）とが入射するが、屋根入射光（Ｕ）は閉められている保温カーテン８で遮られて栽培室Ｓには入射せずに屋根裏部屋Ｙに入射するに留まっている。
しかし、屋根裏部屋Ｙの温度は、北側定位置（Ｋ点）にセットされている反射機９に陽射しが当たり始めると急速に上昇し始め、屋根裏部屋Ｙの温度が所定の栽培室Ｓの保温温度（Ｐ℃）に近づいてくる。この頃が、保温カーテン８を開くタイミングとなる。このタイミングは、反射機９が無い時に比べて小１時間早まることとなる。
同様にして、保温カーテンを閉める時間は小１時間ほど遅くなる（図３参照）。
【００３４】
具体的には、太陽の仰角が１５度を超え、入射角が２０度頃（午前８時頃）になると屋根裏部屋Ｙの温度が略温室内の温度となり保温カーテン８を開けられる条件が整う。
この時の屋根裏部屋Ｙの温度は反射機９の有無によって５〜１０℃（午前８時、外気温−２℃の場合の測定値）の違いがある。
【００３５】
保温カーテン８が開かれているときのハウス１の受光量と各棟の受光量の関係を以下に示す（図５参照）。
尚、図５は１月中旬で、保温カーテン８を開いた直後の場合であって、仰角が２０°、入射角が２０°を想定したものである。
・ハウス１の全受光量（Ｚ）＝屋根受光量（Ｕ）＋側壁受光量（Ｖ）＋間口受光量（Ｗ）
・・Ｕは、１棟から６棟の受光量Ｕ１＋・・＋Ｕ６の和である。
・・・Ｕ１のうち有効な１棟への入射光量は、１棟内に日陰を作らないｕ１と、反射機９に当たり内部に反射される反射機回復光Ｒ１の入射光である。尚、Ｌ８は１棟の入射光側の保温カーテン８による損出分で、Ｌ１は１棟目の保温カーテン８と屋根の接線方向の間に入射する入射光で日陰部を構成するゾーンとなる棟境界損出受光量であるが、このゾーンに設けられた反射機９によって８割程度が反射機回復光Ｒ１として回生させる（この量Ｒ１は全棟同じである）。
・・・Ｕ２のうち有効な２棟への入射光量は、２棟内に日陰を作らないｕ２と反射機９に当たり内部に反射されるＲ２（Ｒ１と同量で全棟同量）の入射光である。
このとき、Ｕ２＜Ｕ１となる。その理由は、前棟のＬ１の影響を受けているためである。
・・・Ｕ３〜Ｕ６の入射光量は、Ｕ２と同じとなる。
・・Ｖは、１棟から６棟の受光量Ｖ１＋・・＋Ｖ６の和である。
・・・Ｖ１は１棟のみが受ける受光量で２棟以降には存在しない。
・・Ｗは１棟〜６棟まで同量の受光量である。
従って、この時点での各棟の受光量は、Ｕ１＞Ｕ２＞Ｕ３＝Ｕ４・・＝Ｕ６となる。この状況は、陽が昇るにつれて緩和され続け、南中時には全棟同量の受光量となる。
【００３６】
南中時には全棟同量の受光量となり、その後夕方に向かって逆転し、Ｕ６＞Ｕ５＞Ｕ４＝Ｕ３・・＝Ｕ１となる。
この理由は、太陽が南中となる頃（図４Ｂ参照）は太陽の入射角９０°、仰角３０°となり、以下の条件となるからである。
・１棟目固有に存在した側壁受光量Ｖが無くなる。
・  境界損出受光量が自棟の一対の保温カーテン８の日陰部のみとなる。
この時期に、反射機９の位置を東側の１６０°接線位置である終点に移動して午後の反射光の取り込みに備える。
【００３７】
この南中時を過ぎると、夕方に向かって陽射しは西に傾いて下り続けるので、反射機９の移動と相まって、午前の状況と逆転した受光条件となり、Ｕ６＞Ｕ５＞Ｕ４＝Ｕ３・・＝Ｕ１となる。
そして保温カーテン８を閉める頃には、太陽の入射角１６０°、仰角２０°となる。
【００３８】
以上の通り、一日を通して１棟から６棟には略同量の陽射しが当たることとなり、且つ、栽培植物には午前と午後に別けて両側からの陽射しを受けることになる。
また、この間にあって、各棟単位で見ると、有効入射光（ｕ）と反射機９の反射光とが、常に両側から栽培植物に陽射しとして注がれることになる。
【００３９】
これらのことによって、栽培室Ｓ内の各棟の中央奥行きに列に植栽された栽培植物には常に左右両側からの陽射しが当たるので、高収穫量にして、品質のばらつきの少ない高品質の収穫物を得ることができる。
このことは、反射機９を使わないものと比較すると、極めて優れた結果を得ていることで実証されている。
また、単棟式のものと比較したときに、初期投資とランニングコストの優位性のみでなく、幅４ｍの棟単位で陽射しを受ける、所謂、きめ細かな配慮となり、品質、収穫量においても優位であることが明言され、実証もされている。
【００４０】
この結果を纏めると、以下示す効果が得られる。
（１）保温カーテン８を開ける時間が小１時間早まり、閉める時間が小１時間延びるのでハウス１全体の受光量が増加するとともに、各棟の受光量の均一化が図られる。
（２）南北棟が不利とされていた「南北の列に植えられた栽培作物は、列の北側に行くほど南側の作物の陰になり受光量が減り不利である点」については、南中時前後を除き、屋根からの直接の陽射しが、各棟単位で、午前中は南東方向から差し込むとともに、反射機で反射した陽射しが南西方向から差し込み、午後は南西方向から差し込むとともに、反射機で反射した陽射しが南東方向から差し込みむので、栽培作物には左右両側から陽射しが照射されることになるので、前記不利点を解消することとなる。
（３）以上のことによって、経済性の面から見ると、単棟の屋根型温室ハウスと同等以上の収穫量、品質を確保でき、発病も減ることとなり、且つ、初期投資は激減し、管理・維持費にも優れているので損益の改善が著しい。
【００４１】
尚。反射光の更なる活用として、北側の間口Ｍ面、及び、東西の側壁Ｏ面に反射機を取り付けると更によい。ただし、東側の側壁Ｏ面に取り付けた反射機は午前中は使わずに午後活用し、西側の側壁Ｏ面に取り付けた反射機は午前中活用し午後は使わないようにする。
【実施例２】
【００４２】
次に、図６に示す本考案を実施するための実施例２を説明する。なお、説明に当たって、前記実施例１と同一構成部分には同一符号を付して重複する説明を省略する。
【００４３】
前記実施例１と主に異なる点は、
（１）棟の間口Ｍを東西向きにした点と、
（２）反射シート９２が片面反射シートとした点と、
（３）反射機９を午前午後で移動しない点と、
である（装置の構造は同じ）。
【００４４】
このように形成した農業用連棟温室ハウスにあっても、以下の点を除き、実施例１と同様な作用効果を得られる。
即ち、東西に向いた間口Ｍ（反射機軸に同じ）の南側方向から、南中時を頂点とし、午前は増加、午後は減少する時々刻々変わる仰角の陽射しを受ける形態であり、反射機９を午前、午後とも同じ位置に固定して使用する（反射角度と丈の長さは適宜調整する）。
従って、午前午後を通して常に南側（太陽側）に位置する１棟目の受光量が多く、２棟、３棟と順次減少し、３棟〜６棟が略同一の受光量となる。
従って、各棟の受光量の均一化という点では、実施例１に劣ているが、午前午後で反射機の位置を変える必要が無いので、この分の手間がかからない。
【００４５】
尚。反射光の更なる活用として、北側の側壁Ｏ面、及び、東西の間口Ｍ面に反射機を取り付けると更によい。ただし、東側の間口Ｍ面に取り付けた反射機は、午前中は使わずに午後活用し、西側の間口Ｍ面に取り付けた反射機は午前中活用し午後は使わないようにする。
【００４６】
以上、南北棟と東西棟の使い勝手を説明したが、周囲の環境、土地の形状、緯度・経度等の条件を加味して棟の向きを変えることが可能である。
この場合の肝要な点は、反射機９の取り付け位置、丈の長さ、反射角度等を最寒気の前後約１〜２ケ月を最適条件が得られるように設定すればよい。
この場合の作用効果等は、実施例１と実施例２との中間の値として得られることとなる。
【産業上の利用可能性】
【００４７】
本考案は、農業用連棟温室ハウスを製造、使用する産業で利用される。
【符号の説明】
【００４８】
Ｎ、屋根    Ｍ、間口    Ｏ、側壁    
Ｙ、屋根裏部屋    Ｓ、栽培室    ｍ、（保温カーテンの）寄せ部
１、アーチ屋根型連棟温室ハウス（ハウス）
２、（鉄鋼製の枠組み構造物の）支柱
３、（鉄鋼製の枠組み構造物の）横梁
４、４０、４１、アーチ屋根骨格
５、側壁骨格
６、雨樋
７、カーテンレール
８、保温カーテン
９、９１、９２、９３、反射機
Ｋ、（反射機の）所定の位置。
１０、ワイヤー又は紐
【図１】
0003201855.tif 000003
【図２】
0003201855.tif 000004
【図３】
0003201855.tif 000005
【図４】
0003201855.tif 000006
【図５】
0003201855.tif 000007
【図６】
0003201855.tif 000008
【図７】
0003201855.tif 000009